(57)【特許請求の範囲】
【請求項１】
互いに連結する螺旋状ケーブルハンガーＡの端末に固着する合成樹脂製の第一、第二の連結材１，２で成り、第一連結材１に、第二連結材２に設けた受入穴３に嵌挿する嵌挿部片４と、同じく第二連結材２に該受入穴３に連通して設けた係合切欠６に係合する係合突部５とを設け、第二連結材２は、前記螺旋状ケーブルハンガーＡに固着する基部片１１と、前記受入穴３及び前記係合切欠６を形成する一対の半割り筒体７，７と、該一対の半割り筒体７，７の外周面に沿って摺動可能に嵌合されて該一対の半割り筒体７，７が拡径するのを規制または開放する規制リング８とを有し、前記係合切欠６は、細径部穴部６ｂを通じて前記係合突部５を係合する大径部穴６ａを備えると共に、大径部穴６ａの奥行きには、第二連結材２の前記基部片１１側に向かって割り溝６ｃが延長して設けてあり、前記規制リング８は、第二連結材２の前記基部片１１の外周面と一対の前記半割り筒体７，７の外周面との間を摺動可能に嵌合され、その際に、一対の半割り筒体７，７の外周面の対称位置には一対のストッパー突起１８，１８が突設され、これに対応して、規制リング８の径方向対称位置に軸方向に延びるストッパー溝１９，１９が穿設され、該規制リング８が一対の半割り筒体７，７の外周面を摺動して、該規制リング８のストッパー溝１９，１９が半割り筒体７，７のストッパー突起１８，１８に当接した状態では、該規制リング８は一対の半割り筒体７，７の外周面と、第一連結材１の基部片１０の外周面とにわたって嵌合された状態となっているケーブル架設用螺旋状ケーブルハンガー連結具。
【請求項２】
第一及び第二連結材１，２の、螺旋状ケーブルハンガーＡが挿入される接続穴９を形成する基部片１０，１１の内周壁１０′，１１′に、その開口端側から接続穴挿入端側にかけて溝条１２が形成されてなる請求項１に記載のケーブル架設用螺旋状ケーブルハンガー連結具。
【請求項３】
第一，二の連結材１，２の、螺旋状ケーブルハンガーＡとの接続部である基部片１０，１１の外周面が、その開口端側を小径とするテーパー面１０Ａ，１１Ａに形成されてなる請求項１または２に記載のケーブル架設用螺旋状ケーブルハンガー連結具。
【発明の詳細な説明】
【０００１】
【産業上の利用分野】
電柱間にケーブルを架設する際、電柱間に吊架した吊り線であるメッセンジャーワイヤーに螺旋状ケーブルハンガーを吊架せしめ、該螺旋状ケーブルハンガーにケーブルを受支させるようにし、前記螺旋状ケーブルハンガーは順次連結して電柱間のほぼ全域に吊架するようにしているが、本発明は、螺旋状ケーブルハンガーを順次連結する際に用いる連結具に関する。
【０００２】
【従来の技術】
本発明の最新の従来技術として、特許第３２０３５５６号公報に開示される発明を挙げることができる。
【０００３】
この特許発明は、螺旋状ケーブルハンガーの両端に雌雄の連結材を取り付け、該雌雄の連結材を交互に嵌合することによって螺旋状ケーブルハンガーを順次連結していくものであるが、この種の螺旋状ケーブルハンガーには、その使用途上で強力な引張力が働き、この強力な引張力によって上記従来の雌雄の螺旋状ケーブルハンガーが離脱する事故が多々発生している。
【０００４】
【発明が解決しようとする課題】
本発明は、上記の問題点を解消して、螺旋状ケーブルハンガーに強力な引張力が作用しても、連結具で連結された螺旋状ケーブルハンガーが離脱することのない、この種連結具を提案することを目的とするものである。
【０００５】
【課題を解決するための手段】
上記目的を達成するために、請求項１記載の発明は、互いに連結する螺旋状ケーブルハンガーＡの端末に固着する合成樹脂製の第一、第二の連結材１，２で成り、第一連結材１に、第二連結材２に設けた受入穴３に嵌挿する嵌挿部片４と、同じく第二連結材２に該受入穴３に連通して設けた係合切欠６に係合する係合突部５とを設け、第二連結材２は、前記螺旋状ケーブルハンガーＡに固着する基部片１１と、前記受入穴３及び前記係合切欠６を形成する一対の半割り筒体７，７と、該一対の半割り筒体７，７の外周面に沿って摺動可能に嵌合されて該一対の半割り筒体７，７が拡径するのを規制または開放する規制リング８とを有し、前記係合切欠６は、細径部穴部６ｂを通じて前記係合突部５を係合する大径部穴６ａを備えると共に、大径部穴６ａの奥行きには、第二連結材２の前記基部片１１側に向かって割り溝６ｃが延長して設けてあり、前記規制リング８は、第二連結材２の前記基部片１１の外周面と一対の前記半割り筒体７，７の外周面との間を摺動可能に嵌合され、その際に、一対の半割り筒体７，７の外周面の対称位置には一対のストッパー突起１８，１８が突設され、これに対応して、規制リング８の径方向対称位置に軸方向に延びるストッパー溝１９，１９が穿設され、該規制リング８が一対の半割り筒体７，７の外周面を摺動して、該規制リング８のストッパー溝１９，１９が半割り筒体７，７のストッパー突起１８，１８に当接した状態では、該規制リング８は一対の半割り筒体７，７の外周面と、第一連結材１の基部片１０の外周面とにわたって嵌合された状態となっている構成を採用してなるものである。
【０００６】
請求項２記載の発明は、請求項１記載の発明において、第一及び第二連結材１，２の、螺旋状ケーブルハンガーＡが挿入される接続穴９を形成する基部片１０，１１の内周壁１０′，１１′に、その開口端側から接続穴挿入端側にかけて溝条１２が形成されてなる構成を採用してなるものである。
【０００７】
請求項３記載の発明は、請求項１または２記載の発明において、第一，二の連結材１，２の、螺旋状ケーブルハンガーＡとの接続部である基部片１０，１１の外周面が、その開口端側を小径とするテーパー面１０Ａ，１１Ａに形成されてなる構成を採用してなるものである。
【０００８】
【発明の実施の形態】
図面は本発明に係る螺旋状ケーブル用ハンガーの連結具の一実施形態を示し、図１はケーブル架設用螺旋状ケーブルハンガー連結具Ｂの第一連結材を構成する雄側連結材１と、これが連結される第二連結材を構成する雌側連結材２との斜視図である。図２は、第一連結材１と第二連結材２とを連結した状態の縦断平面図である。図３、同作動状態の縦断平面図である。図４は、同縦断正面図で、図５は、同作動状態における正面図である。図６は、図５のVIーVI線断面図である。図７は、第一，第二の連結材１，２の螺旋状ケーブルハンガーＡと接続される側の側面図である。
【０００９】
本発明は、鋼線より成る芯材を合成樹脂で被覆して構成した公知の螺旋状ケーブルハンガーＡを、ポリアセタール樹脂材等の合成樹脂材からなる第一、第二の連結材１，２で連結する連結具Ｂに係り、第一、第二の連結材１，２は基端側の基部片１０，１１に長手方向に沿って設けた接続穴９に螺旋状ケーブルハンガーＡの端末を嵌挿するようにして該ハンガーＡに固着して用いるものである。
【００１０】
この固着作業は、工場で行われ、接続穴９にケーブルハンガーＡの端末を嵌挿して、螺旋状ケーブルハンガーＡ乃至連結材１，２の弾性変形を利用して固着状態を維持させる場合と、接続穴に接着剤を注入して接続剤の接着力を利用して固着状態を維持する場合があり、これ以外に、後述の図７で説明する独特の固着構造を採用することができるが、いずれにせよ、ここで「固着」とは本発明の連結具Ｂを用いた連結装置に外力が負荷した際、連結材１，２とケーブルハンガーＡとが不測のとき以外は互いに離脱しない状態にあることをいう。
【００１２】
雄側連結材である第一連結材１は、一端（基端）を開口して前記接続穴９を備えた基部片１０の他の一端（先端）に嵌挿部片４を突設して構成したもので、基部片１０の外周面は、その開口端側が適宜小径であるテーパー面１０Ａに形成され、この第一連結材１の前記嵌挿部片４は、角柱状の部片主体４Ａからなり、この部片主体４Ａの前後両側面に嵌挿部片４と同じ軸方向に延びる係合突部５が突設され、係合突部５は、嵌挿部片４の基端側の細径部片５ｂの先端に嵌挿部片４の基端側から先端側方向に漸次幅狭くしたやや三角形状の大径部片５ａを、細径部片５ｂの延長上に設け、全体として矢印状とし、大径部片５ａの後端縁５ａ′を係止縁として機能させ、第二連結材２に形成した係合切欠６の受止縁として機能させる後縁６ａ′に係止させるようにしたものである。
【００１３】
雌側連結材である第二連結材２は、一端（基端）を開口して設けた前記接続穴９を備え、その外周面は、その開口端側が適宜小径のテーパー面１１Ａとする基部片１１と、基部片１１に他の一端（先端）を開口して設けた一対の半割り筒体７，７とからなり、該一対の半割り筒体７，７によって、その互いの対向面間に、第一連結材１の前記嵌挿部片４を嵌挿する、前記角柱状部片主体４Ａの形状に合致する角筒形状の受入穴３と、該受入穴３に上下に連通して、第一連結材１の係合突部５を係合する係合切欠６とを形成したもので、係合切欠６は、細径部穴６ｂを通じて前記係合突部５の大径部片５ａを係合する大径部穴６ａと、該大径部穴６ａと外界とを連通する前記細径部穴６ｂとで構成したものである。また、係合切欠６の大径部穴６ａの奥行きには割り溝６ｃが延長して設けてあり、これによって一対の半割り筒体７，７が基部片１１を中心に拡径状に弾性変形させることが容易になっている。
【００１４】
係合切欠６の大径部穴６ａは、第一連結材１の係合突部５の大径部片５ａと反対に第二連結材２の先端側から後端側方向に漸次幅狭くして、係合突部５の大径片５ａが係合する形態と成し、その後縁６ａ′を前記の通り前記大径部片５ａの受止縁とし、該大径部分５ａの後端縁５ａ′がこれに係止することにより、係合突部５側の大径部片５ａが係合切欠６側の大径部穴６ａからの離脱、すなわち、第一連結材１と第二連結材２との互いの離脱を防ぐものである。
【００１５】
係合切欠６の大径部穴６ａと外界とを連通する前記細径部穴６ｂは、係合突部５の大径部片５ａと細径部片５ｂと同様その延長上に、大径部穴６ａの長手方向に沿う中央が存するように連通させて、大径部穴６ａ及びその基端部側の割り溝６ｃと共に、係合切欠６は、全体としてやや矢印状を成すものであって、大径部片５ａが楔のようにして、一対の半割り筒体７，７を拡径状に弾性変形させ、該細径部孔６ｂを拡開して第一連結材１の大径部片５ａが第二連結材２の係合切欠６の大径部孔６ａに嵌合され、しかして両半割り筒体７，７の弾性復元力によって係合突部５が係合切欠６に係止されるようにしてある。
【００１６】
そして、本発明の特徴とする構成は、図１〜６に示すように、第二連結材２の外周面に軸方向に摺動可能な規制リング８を嵌合してなることである。
【００１７】
即ち、規制リング８は、第二連結材２の基部片１１の外周面と一対の半割り筒体７，７の外周面との間を摺動可能に嵌合されてなるもので、図１、図２、図４では規制リング８が基部片１１の外周面に位置している状態を示し、図３、図５は規制リング８が一対の半割り筒体７，７の外周面に位置している状態を示し、正確には、一対の半割り筒体７，７の外周面の対称位置には一対のストッパー突起１８，１８が突設され、これに対応して、規制リング８の径方向対称位置に軸方向に延びるストッパー溝１９，１９が穿設され、該規制リング８が一対の半割り筒体７，７の外周面を摺動して、該規制リング８のストッパー溝１９，１９が半割り筒体７，７のストッパー突起１８，１８に当接した状態では、該規制リング８は一対の半割り筒体７，７の外周面と、第一連結材１の基部片１０の外周面とにわたって嵌合された状態となっている。
【００１８】
また、本発明では、図７に示すように、第１、第２連結材１，２の、螺旋状ケーブルハンガーＡが挿入される接続穴９を形成する基部片１０，１１の内周壁１０′，１１′に、その開口端側から接続穴挿入端側にかけてスリット状の溝条１２（図示では１条であるが、それ以上でも、２条でも、またそれ以上であってもよい。）を設けてある。
【００１９】
従って、螺旋状ケーブルハンガーＡを接続穴９に挿入したとき、該ハンガーＡは鋼線より成る芯材を肉厚の合成樹脂材で被覆して形成されているため、その合成樹脂層の一部が、図７に示すように、溝条１２に侵入した状態となって、この部分に段差が出来て、接続穴９に挿入されたケーブルハンガーＡは段部に強く係合され、より一層強固に接続穴９に固着されることになる。勿論、接続穴９に挿入されるケーブルハンガーＡは、前述のように接着材を併用するようにしてもよい。
【００２０】
しかして、螺旋状ケーブルハンガーＡを本発明に係る連結具Ｂによって連結する際には、前述の各図面に詳細に示すように、互いに連結する一方の螺旋状ケーブルハンガーＡの端末に第一連結材１を、他の一方のケーブルハンガーＡの端末に第二連結材２をそれぞれ前記のようにして接続固着し、規制リング８を、図１、図２、図４に示すように第二連結材２の基部片１１側に位置させた状態で、係合突部５と係合切欠６を位置合わせして、第一連結材１側の嵌挿部片４を、第二連結材２側の受入穴３に押し込むと、一対の半割り筒体７，７は拡径弾性変形して、係合突部５の大径部片５ａは、係合切欠６の細径部孔６ｂを強制的に拡開して、かつ、該細径部孔６ｂを通じて係合切欠６の大径部孔６ａに、両半割り筒体７，７の弾性復元力によって係合し、両連結材１，２は互いに連結され、すなわち、前記ケーブルハンガーＡ，Ａは互いに連結されることになる。そして、両連結材１，２は、係合突部５の後端縁５ａ′と係合切欠６の後縁６ａ′の係止関係によって連結状態が維持される。
【００２１】
しかるのちに、規制リング８を、図３、図５に示すように、そのストッパー溝１９，１９が半割り筒体７，７のストッパー突起１８，１８に当接するまで摺動させることによって、該該規制リング８は一対の半割り筒体７，７の外周面と、第一連結材１の基部片１０の外周面とにわたって嵌合され、これによって両半割り筒体７，７の拡径方向への弾性変形を物理的に阻止するようになっている。
【００２２】
即ち、第一連結材１及び第二連結材２に連結された螺旋状ケーブルハンガーＡに外部負荷によって強力な引張力が作用したときに、第一連結材１の嵌挿部片４及び係合突部５は、一対の半割り筒体７，７を拡径方向に弾性変形させて、第二連結材２の受入穴３及び係合切欠６を押し広げ、該受入穴３及び係合切欠６から抜け出ようとするが、両半割り筒体７，７の外周面には規制リング８が嵌合して、両半割り筒体７，７に負荷する拡径方向への弾性変形力に対向して、両半割り筒体７，７の拡径方向への開放を規制し、第二連結材２の受入穴３及び係合切欠６が押し広げられないようになっているため、例え螺旋状ケーブルハンガーＡを介して第一、第二連結材１，２に強力な引き離し力が作用しても、規制リング８に規制されて、両連結材１，２は堅固にその連結状態が維持されることになる。
【００２３】
このように、本発明によれば、規制リング８によって両半割り筒体７，７の拡径方向への開放を規制するようにしたものであるから、例えば、上記割り溝６ｃを長く形成して、両半割り筒体７，７の拡径方向への変移が若干容易であっても、言い換えれば、第二連結材２の両半割り筒体７，７によって形成される受入穴３及び係合切欠６への第一連結材１の嵌挿部片４及び係合突部５の嵌挿・係合が比較的に容易であっても、規制リング８によって、両連結材１，２は堅固にその連結状態が維持されることになり、結果的に第一連結材１の第二連結材２への連結作業を容易にすることが可能となる。
【００２４】
なお、前述のように、第一連結材１側の嵌挿部片４を、第二連結材２側の受入穴３に嵌挿する際に、嵌挿部片４とこれが嵌挿する受入孔３が、図示では正四角形に形成されているが、台形等異形形状に形成されることが好ましく、これによって、第１及び第２の連結材１，２の表裏面の挿入位置が規制されることになり、互いの挿入操作を正確に行うことができる。なお、第一連結材１の嵌挿部片４を第二連結材２の受入穴３に嵌合することによって、第一、第二連結材１，２を互いに直線状態に強力に連結する作用を果たすことができる。
【００２５】
更に、螺旋状ケーブルハンガーＡによって形成される螺旋状孔に、後述のようにメッセンジャワイヤ１４とケーブル１５とを挿通させる際に、該ケーブルハンガーＡの連結部である第１及び第２の連結材１，２のケーブルハンガーＡとの接続部である基部片１０，１１の外周面がその開口端を小径とするテーパー面１０Ａ，１１Ａに形成されているため、ケーブル１５は、これらのテーパー面１０Ａ，１１Ａに案内されて導入され、ケーブル１５が両連結材１，２に引っ掛かってその挿入作業の障害となることを可及的に防ぐことができる。また、メッセンジャワイヤ１４に螺旋状ケーブルハンガーＡを挿通させる際にも、テーパー面１０Ａ，１１Ａがガイドとなって円滑に該ハンガーＡをメッセンジャワイヤ１４に挿通させることができる。
【００２６】
【発明の効果】
請求項１に係る発明によれば、第一連結材側の嵌挿部片を、第二連結材側の受入穴に押し込むだけで、係合突部が細径部を拡開し、かつ、該細径部を通じて係合切欠の大径部に係合して両連結材すなわち連結材を組付けた一対の螺旋状ケーブルハンガーが互いに連結され、該連結状態を確実に維持でき、また、第二連結材の弾性変形を利用して両連結材を分離することもでき、使用勝手良好な斬新な構造の連結具を提供できる。
【００２７】
特に、第一連結材及び第二連結材に連結された螺旋状ケーブルハンガーに外部負荷によって強力な引張力が作用したときに、第一連結材の嵌挿部片及び係合突部は、一対の半割り筒体を拡径方向に弾性変形させて、第二連結材の受入穴及び係合切欠を押し広げ、該受入穴及び係合切欠から抜け出ようとするが、両半割り筒体の外周面には規制リングが嵌合して、両半割り筒体に負荷する拡径方向への弾性変形力に対向して、両半割り筒体の拡径方向への開放を規制し、第二連結材の受入穴及び係合切欠が押し広げられないようになっているため、例え螺旋状ケーブルハンガーを介して第一、第二連結材に強力な引張力が作用しても、規制リングに規制されて、両連結材は堅固にその連結状態が維持され、安定して使用することができる。
【００２８】
更にまた本発明によれば、前記係合切欠６は、細径部穴部６ｂを通じて前記係合突部５を係合する大径部穴６ａを備えると共に、大径部穴６ａの奥行きには、第二連結材２の基部片１１側に向かって割り溝６ｃが延長して設けてあり、前記規制リング８は、第二連結材２の前記基部片１１の外周面と一対の前記半割り筒体７，７の外周面との間を摺動可能に嵌合されてなるため、前記規制リング８が前記割り溝６ｃを乗り越えて第二連結材２の基部片１１側に摺動することによって、両半割り筒体７，７の拡径方向への変移が前記割り溝６ｃの存在によって若干容易であっても、言い換えれば、第二連結材２の両半割り筒体７，７によって形成される受入穴３及び係合切欠６への第一連結材１の嵌挿部片４及び係合突部５の嵌挿・係合が比較的に容易であっても、第二連結材２の一対の前記半割り筒体７，７の外周面側に摺動する規制リング８によって、両連結材１，２は堅固にその連結状態が維持されることになり、結果的に第一連結材１の第二連結材２への連結作業を容易にすることが可能となる。
【００２９】
請求項２に係る発明によれは、第一及び第二連結材の、螺旋状ケーブルハンガーが挿入される接続穴を形成する基部片の内周壁に、その開口端側から接続穴挿入端側にかけて逃げ溝が形成されてなるため、プレス機等で基部片の外周面を押圧することによって逃げ溝を中心に接続孔の内壁の一部が突出し、この突出部がケーブルハンガーの挿入部を係合して、該ケーブルハンガーと両連結材との連結状態を強固に維持することができる。
【００３０】
請求項３に係る発明によれば、螺旋状孔ケーブルハンガーの連結部である第１及び第２の連結材のケーブルハンガーとの接続部である基部片の外周面がその開口端を小径とするテーパー面に形成されているため、ケーブルは、これらのテーパー面に案内されて導入され、ケーブルが両連結材に引っ掛かってその挿入作業の障害となるというようなことがない。また、メッセンジャーワイヤーに螺旋状ケーブルハンガーを挿通させる際にも、テーパー面がガイドとなって円滑に該ハンガーをメッセンジャーワイヤーに挿通させることができる。
【図面の簡単な説明】
【図１】  本発明の構成部材である第一連結材と、第二連結材との斜視図で  ある。
【図２】  第一連結材と第二連結材とを連結した状態の横断平面図である。
【図３】  同作動状態の横断平面図である。
【図４】  同縦断正面図である。
【図５】  同作動状態の縦断正面図である。
【図６】  図５のVIーVI線断面図である。
【図７】  同側面図である。
【符号の説明】
Ａ      螺旋状ケーブルハンガー
Ｂ      ケーブル架設用螺旋状ケーブルハンガー連結具
１      第一連結材
２      第二連結材
３      受入穴
４      嵌挿部片
５      係合突部
６      係合切欠
７      半割り筒体
８      規制リング
９      接続穴
１０    基部片
１０Ａ  テーパー面
１１    基部片
１０Ａ  テーパー面
１０′  内周壁
１１′  内周壁
１２    溝条
【図１】
0003666809.tif 000002
【図２】
0003666809.tif 000003
【図３】
0003666809.tif 000004
【図４】
0003666809.tif 000005
【図５】
0003666809.tif 000006
【図６】
0003666809.tif 000007
【図７】
0003666809.tif 000008